(57)【要約】【課題】  光部品数の少ない光信号切替え装置と、該装置を組合せた信頼度に優れ長距離伝送が可能で経済的な構成の光通信網と、これらの使用方法を提供する。【解決手段】  光信号切替え装置は、１重化構成を基本とし、光信号を装置内で通過する光信号と装置で挿入・分岐処理する光信号とに分け、挿入・分岐処理だけ冗長化した部分で実行する構成とし、光通信網は、光信号を挿入する装置で冗長化された光信号の各々が異なる光伝送路と装置を通過するよう複数の光信号切替え装置と光伝送路を配置する構成として各装置が通過させる光信号を装置の１重化部分で処理するが、光信号切替え装置と光伝送路の経路設定により、光通信網全体としては冗長化された光信号を伝送して信頼性を確保する構成の光通信網とした。【選択図】  図２
2010011486.tif 000002
【特許請求の範囲】
【請求項１】
複数の光信号切替え装置を複数の光伝送路で接続し、前記光信号切替装置間で光信号の
送受信を行う光通信網であって、
それぞれの光信号切替え装置は、
前記第1の光伝送路から受信する波長多重光信号を波長ごとの光信号に分離して出力す
る第1の光分波器と、
前記第2の光伝送路から受信する波長多重光信号を波長ごとの光信号に分離して出力す
る第2の光分波器と、
前記第３の光伝送路から受信する光信号を2つの光信号に分けて出力する光分配器と、
前記第1及び第2の光分波器並びに前記光分配器からの光信号を入力され、それぞれの光
信号を設定された経路に従い出力する光スイッチと、
前記光スイッチからのそれぞれ波長の異なる複数の光信号を入力され、当該入力された
複数の光信号を波長多重して第４の光伝送路へ出力する第1の光合波器と、
前記光スイッチからのそれぞれ波長の異なる複数の光信号を入力され、当該入力された
複数の光信号を波長多重して第５の光伝送路へ出力する第2の光合波器と、
前記光スイッチからの2つの光信号を入力され、いずれかの光信号を出力する光切替器
と、
前記第1、第2の光分波器で分離して出力した波長ごとの光信号を介させる複数のトラン
スポンダもしくは再生中継器と、
前記光分配器で分けて出力された2つの光信号を各々介させる2つのトランスポンダもし
くは再生中継器と、
前記光スイッチより出力されたそれぞれ波長の異なる複数の光信号に対し波長設定する
複数のトランスポンダもしくは再生中継器と、
前記光スイッチ内の光信号の経路設定を行う制御回路とを備え、
前記制御回路は、
前記光分配器からの2つの光信号の一方を前記第1の光合波器へ、もう一方を前記第2
の光合波器へそれぞれ導くよう前記光スイッチの経路設定を行ない、又は
前記第1の光分波器と前記第2の光分波器からの光信号をそれぞれ1つずつ前記光切替
器に導くよう前記光スイッチの経路設定を行ない、
前記トランスポンダもしくは前記再生中継器は、波長設定について、所定の波長を割り当てるように設定することを特徴とする光通信網。
【発明の詳細な説明】
【技術分野】
【０００１】
本発明は、光通信装置ならびに光通信網の構成とその使用方法に係り、特に波長多重さ
れた複数の光信号の処理に好適な光信号切替え装置と光通信網、および、それらの使用方
法に関する。
【背景技術】
【０００２】
通信網の高速化と大容量化を実現するために、波長多重された光信号を用いて信号を伝
送するだけでなく、この光信号をそのまま伝送路・パス単位（経路）でスイッチング（切
替え）処理する光アドドロップ多重装置（以下ＯＡＤＭと称する）や光クロスコネクト（
以下ＯＸＣと称する）と呼ばれる光信号切替え装置の実用化、更には、これらのOADMやOＸＣを用いた光通信網の構築が検討されている。
【０００３】
上記光通信網においては、信頼性の高い長距離伝送（例えば、１００ｋｍ〜300km程度
の無中継伝送）能力を有する通信網を経済的な構成で実現することが要求される。高信頼
性を実現するには、上記ＯＡＤＭやＯＸＣの２重化や光伝送路の２重化等の冗長構成を用
いるのが一般的である。又、長距離伝送の実現には、光信号レベルの損失を補償するため
に、例えば特許文献１に示されたような、光増幅器を挿入する等の手法が一般に用いられ
る。
【先行技術文献】
【特許文献】
【０００４】
【特許文献１】特開平５−２４４０９８号公報
【発明の概要】
【発明が解決しようとする課題】
【０００５】
上記光通信網を構成するＯＡＤＭやＯＸＣは、光送受信器、光スイッチ、光カプラ、光
分配器、光増幅器、トランスポンダ等の光部品を適宜組合せて構成する。  
しかし、既存の光スイッチは、光信号の損失がスイッチの構成や経路設定状態に応じて
数ｄＢ〜数十ｄＢ発生してしまう。又、光スイッチの前後に、光送信器や光受信器を通常
備える必要があるが、これらの光送受信器も光送信出力パワーや受信感度やダイナミック
レンジに限界があるため、光信号のレベルを調整する光増幅器の挿入も必要となる場合が
ある。更に、高信頼度を実現するために、上述したような冗長構成をとれば、光カプラ等
の光分配器や２×１光スイッチ等の光切替器などの部品も必要となる。
【０００６】
今後の光通信網では波長多重による大容量化を図る為、上記光カプラ、２×１光スイッ
チ、トランスポンダ、光増幅器等が波長毎に必要となり、ＯＡＤＭやＯＸＣを単純に２重
化する冗長構成にすると、装置の大型化と高コスト化を招いてしまう。更に、上記光部品
（光スイッチ、光カプラ、2×1光スイッチ、など）の光信号損失が数ｄＢ〜数十ｄＢある
ため、カスケードにこれらの部品を多数接続する光通信網では、網内の光損失が大きくな
り光伝送路の途中に光増幅器を挿入する等の対策を施さないと上記長距離伝送の要求が満
たされず、更に光通信網の高コスト化を招いてしまう。
【０００７】
大容量で長距離伝送が可能な波長多重を用いた光通信網を高信頼度で経済的に構築する
ために、光通信網や網を構成する装置の冗長構成を適宜配分して光部品の数を削減するこ
とにより光損失の削減と高信頼度化と低コスト化を図ることが望まれる。すなわち、冗長
構成を抑え光部品の数を減らした長距離伝送に好適で信頼度に優れ経済的な構成の光信号
切替え装置の実現、この装置を組合せた光通信網の構築、更には、上記要求を満たす光通
信装置および光通信網の使用方法の提供が求められる。
【０００８】
本発明の目的は、上記要求を満たす光信号切替え装置を提供することである。又、この
光信号切替え装置を組合せた光通信網を提供することも本発明の目的である。更に、大容
量で長距離伝送が可能な波長多重を用いた光通信網を高信頼度で経済的に実現するための
光信号切替え装置および光通信網の使用方法を提供することも本発明の目的である。
【０００９】
より詳細には、装置内部の冗長構成を抑えて光部品の数を減らし、光通信網内の光信号
の損失を削減する構成の光信号切替え装置を提供し、この光信号切替え装置を組合せた構
成の光通信網を構築することが本発明の目的である。そして、これら光信号切替え装置と
光通信網の信号経路を設定する使用方法を提供することも本発明の目的である。
【課題を解決するための手段】
【００１０】
上記課題を解決するために、本発明の光信号切替え装置は、１重化構成を基本とし、入
出力する光信号を、装置内で通過（中継）するだけの光信号と、装置（あるいは装置に接
続された別装置）で処理（挿入（Ａｄｄ）・分岐（Ｄｒｏｐ））すべき光信号とに分け、
装置内で処理すべき光信号を冗長化した部分で処理する構成とした。
【００１１】
より詳細には、装置内を通過（中継）する光信号は１重化構成で光信号の経路切替えを
実行し、処理すべき光信号は、挿入する信号を2重化して処理後、２つの光信号をそれぞ
れ異なる光伝送路と光信号切替え装置に出力し、逆に、それぞれ異なる光伝送路と光信号
切替え装置から受信した2つの光信号を2重化部分で処理した後、一方の光信号を分岐する
構成の光信号切替え装置とした。
【００１２】
又、本発明の光信号切替え装置を組合せた光通信網は、装置内で2重化された光信号の
それぞれが異なる光伝送路と光信号切替え装置を通過（中継）するよう複数の光信号切替
え装置を配置して光伝送路で接続する構成とし、各装置で通過（中継）させる光信号は装
置の１重化部分で処理して光部品の数を減らして光信号の損失を抑えて長距離伝送を可能
とする一方で、光通信網全体としては２重化された光信号を伝送（中継）して信頼性を確
保する構成の光通信網とした。
【００１３】
そして、（１）光通信網内に光信号を挿入する光信号切替え装置は、２重化した光信号
をそれぞれ異なる光伝送路と光信号切替え装置に出力し、（２）光信号を通過（中継）さ
せる光信号切替え装置は、光通信網内から２重化された光信号の一方を分岐する光信号切
替え装置迄、２重化された信号がそれぞれ異なる光伝送路と光信号切替え装置を通過する
ように経路設定し、（３）光通信網内から光信号を分岐する光信号切替え装置は、それぞ
れ異なる光伝送路と光信号切替え装置から受信した２重化された光信号を集めて一方を分
岐するような、それぞれの光信号切替え装置や光通信網の経路を設定する使用方法とした
。
【００１４】
尚、上記説明では冗長構成として２重化を例にしたが、３重化以上の多重構成に基づく
冗長構成であっても同様である。
【発明の効果】
【００１５】
本発明によれば、冗長構成部分を減らした、光部品数が少なく光損失の小さい低コスト
の光信号切替え装置が実現される。そして、これらの装置を組合せた光通信網において、
冗長構成部分と一重化の部分を使い分けて光通信網全体として信頼性を維持するように光
信号の経路を設定する方法を提供したので、経済的な長距離伝送に好適で信頼度に優れた
構成の光通信網が実現される。
【図面の簡単な説明】
【００１６】
【図１】本発明の光信号切替え装置を備えた光通信網の構成例を示す網構成図。
【図２】本発明の光信号切替え装置の構成例を示すブロック構成図。
【図３】同じく、光信号切替え装置の別の構成例を示すブロック構成図。
【図４】本発明の光信号切替え装置及び光通信網の使用方法を説明する説明図（１）。
【図５】同じく光信号切替え装置及び光通信網の使用方法を説明する説明図（２）。
【発明を実施するための形態】
【００１７】
以下、本発明の光信号切替え装置の構成、および、この装置を用いた光通信網の構成、
ならびに、これら装置と通信網の使用方法の実施形態について、図面を用いて詳細に説明
する。
【００１８】
図１は、本発明の光信号切替え装置が使用される光通信網の構成例を説明する網構成図
である。  
本発明の光通信網１０は、光信号切替え装置１００（１００−１〜１００−１０）や該
装置配下の通信装置（以下、端末Ｔと称する）を光ファイバ２００（２００−１〜１１）
および３００（３００−１〜６）で接続して構成する。又、装置１００や光ファイバ２０
０と３００の監視・制御を行う管理装置ＮＭＳ４００も光通信網１０に備えた。
【００１９】
具体的には、各光ファイバ２００から波長多重された光信号を送受信して、その中で自
装置と接続される端末Ｔに必要な光信号を分岐あるいは挿入して配下の光ファイバ３００
と光信号を送受信する光アドドロップ多重装置（ＯＡＤＭ：１００−１〜３、１００−８
〜１０）と、各光ファイバ２００から波長多重された光信号を受信すると、受信光信号を
信号毎に切替えて宛先となる光ファイバに多重化出力する、すなわち光信号を通過（中継
）させる、光クロスコネクト装置（ＯＸＣ：１００−４〜７）とを備え、これらの装置１
００同士を光通信網に要求される適切な多重度と伝送速度とで光信号を伝送する光ファイ
バ２００で接続し、管理装置ＮＭＳ４００がこれらの装置や光ファイバにおける光信号の
経路を設定する構成である。
【００２０】
尚、本実施形態では、光通信網１０にＮＭＳ４００を設け、各装置１００や光ファイバ
２００における通信経路を設定する構成を示したが、いずれかの光信号切替え装置１００
がマスターとなって各装置の設定を行っても良いし、ＩＥＦＴ等の専門機関で検討されて
いるＧＭＰＬＳのような通信プロトコルを用いて装置１００同士が通信経路を決めていく
構成としても良い。
【００２１】
本発明の光信号切替え装置とそれを用いた光通信網の使用方法を、端末Ａ（Ｔ０１１）
から端末Ｂ（Ｔ１０１）への通信を例に挙げ説明する。  
（１）端末Ａ（Ｔ０１１）からの光通信網１０に挿入（Ａｄｄ）する光信号（１重化）を
光ファイバ３００−１から受信したＯＡＤＭ１００−１は、受信光信号を２つの光信号に
２重化する。ＯＡＤＭ−１は、２重化されたそれぞれの光信号が異なる光ファイバ２００
と光信号切替え装置１００に出力されるように、装置内部の光スイッチ等の部品を制御し
、２つの光信号の経路を設定しておき、端末Ａ（Ｔ０１１）からの２つの光信号をそれぞ
れ異なる経路（経路０（Ｒ０）と経路１（Ｒ１））に出力する。
（２）中間に存在するＯＡＤＭ（１００−２，３，８，９）やＯＸＣ（１００−４〜７）
のそれぞれは、受信した光信号をＯＡＤＭ１００−１０に向けて通過させる（中継する）
だけで良いので、装置内部の光スイッチ等の部品を制御し、通過させる光信号に応じた１
つの経路を設定しておき、端末Ａ（Ｔ０１１）からの光信号をＯＡＤＭ１００−１０に向
け出力する。具体的には、Ｒ０上またはＲ１上にあるそれぞれの装置１００が１重化の光
部品を制御してＲ０またはＲ１に対応した経路を設定する。
（３）光通信網１０から端末Ｂ（Ｔ１０１）への光信号を分岐（Ｄｒｏｐ）するＯＡＤＭ
１００−１０は、端末Ａ（Ｔ０１１）からの２つの光信号をそれぞれ異なる経路Ｒ０とＲ
１から受信するので、２重化されたそれぞれの光信号の一方を選択して端末Ｂ（Ｔ１０１
）に出力できるように、装置内部の光スイッチ等の部品を制御して２つの経路を設定して
おく。ＯＡＤＭ１００−１０は、装置内の２重化された部分でそれぞれの光信号の誤り検
出や光信号レベルの補正等（終端処理）を実行後、一方の光信号を選択して光ファイバ３
００−６を介して端末Ｂ（Ｔ１０１）へ出力する。
【００２２】
本発明の光信号切替え装置とこれを用いた光通信網は、上記のように構成され動作する
ので、光信号切替え装置内で信頼性維持のために光部品を冗長化する部分が、光通信網へ
光信号を挿入・分岐する一部分だけで済み、他の部分は１重化構成で良いため、光部品の
数が少なくなり経済的な装置が実現される。又、光信号の損失も小さくなるので長距離伝
送も可能となる。更に、光信号経路上の光増幅器等の挿入数を減らすことが可能となり、
経済的な構成の光通信網が提供出来る。しかも、端末間で通信される光信号は、光通信網
内で冗長化されて伝送されるので、光信号切替え装置の大部分を１重化構成としても信頼
性を維持できる。
【００２３】
図２は、本発明の光信号切替え装置の構成例を示すブロック構成図である。  
同図の光信号切替え装置１００はＯＡＤＭを実現するもので、入出力ともＮ本の光ファ
イバ（２００−Ｉ１〜ＩＮ，２００−Ｏ１〜ＯＮ）を収容し、それぞれの光ファイバ２０
０で波長多重された複数の光信号（例えばｎ波長）を送受信する。又、入出力ともＭ本の
光ファイバ（３００−Ｉ１〜ＩＭ，３００−Ｏ１〜ＯＭ）を収容し、自装置に接続される
端末Ｔと光信号を送受信する。光信号切替え装置１００は、光スイッチＳＷ（１４０）を
備えて光信号の経路設定を行い、端末Ｔからの光信号を光ファイバ（２００−Ｏ１〜ＯＮ
）に出力して光通信網１０に挿入（Ａｄｄ）したり、光ファイバ（２００−Ｉ１〜ＩＮ）
からの光信号を端末Ｔに出力して光通信網１０からの光信号を分岐（Ｄｒｏｐ）したり、
光ファイバ（２００−Ｉ１〜ＩＮ）からの光信号を光ファイバ（２００−Ｏ１〜ＯＮ）の
いずれかに通過（中継：Ｐａｓｓ）させたりする。図２のＳＷ１４０内部に示した破線は
、光信号の経路（Ｐａｓｓ，Ａｄｄ，Ｄｒｏｐ）設定例を示したものである。
【００２４】
具体的には、光ファイバＰＩ（２００−Ｉ１〜ＩＮ）から光増幅器ＡｍｐI（１１０−
１〜Ｎ）を介して受信した光信号（ｎ波長多重）を光分波器ＤＭＵＸ（１２０−１〜Ｎ）
で波長毎（λ1〜λn）に分波する。分波後の各波長の光信号（ｎ個）のそれぞれを、装
置内部で処理しやすいようにトランスポンダもしくは再生中継器ＩＦPI（１３０−１−
１〜１３０−Ｎ−ｎ）で波長設定や信号再生して、ＳＷ１４０に供給する。尚、波長λ0
は、波長λ1〜λnとは関係なく、所定の波長帯内の波長を有すれば良い。例えば、1.3マ
イクロメータ帯、1.5マイクロメータ帯、0.85マイクロメータ帯などにて実現可能である
。
【００２５】
又、光ファイバＡＤ（３００−Ｉ１〜ＩＭ）から受信した自装置に接続された端末Ｔか
らの光信号を光分配器Ｂｒｉｄｇｅ（１８０−１〜Ｍ）で２つの光信号に２重化する。ト
ランスポンダもしくは再生中継器ＩＦADI（１３５−１０〜Ｍ１）でそれぞれ光信号を
波長変換や再生してＳＷ１４０に供給する。尚、波長λAは、波長λ1〜λnとは関係な
く、所定の波長帯内の波長を有すれば良い。例えば、１．３μｍ帯、１．５μｍ帯、０．
８５μｍ帯などにて実現可能である。波長λ0と同一波長帯を使用しても構わない。
【００２６】
ＳＷ１４０は、制御系１９０の指示に基づき、図２のＳＷ１４０内部の破線で示したよ
うな光信号の経路を設定するもので、光ファイバＰＩから受信した光信号と光ファイバＡ
Ｄから受信して２重化された光信号のそれぞれについて、受信した光信号を制御系の指示
した光ファイバＰＯ（２００−Ｏ１〜ＯＮ）またはＤＲ（３００−Ｏ１〜ＯＭ）のいずれ
かに出力されるように経路設定する。尚、このＳＷ１４０は、例えば既に実用化されてい
るマトリクス型のスイッチ等を組合せたスイッチを用いれば良いもので、スイッチの構成
による本発明の制約はない。
【００２７】
ＳＷ１４０を通過した光信号は、トランスポンダもしくは再生中継器ＩＦPO（１５０
−１−１〜１５０−Ｎ−ｎ）またはＩＦADO（１５５−１０〜Ｍ１）で波長設定や信号
再生される。光信号の出力先が、他の光信号切替え装置で、光ファイバＰＯ（２００−Ｏ
１〜ＯＮ）のいずれかである光信号は、光合波器ＭＵＸ（１６０−１〜Ｎ）でｎ波長多重
され、光増幅器ＡｍｐO（１７０−１〜Ｎ）を介して出力される。又、光信号の出力先が
、自装置の端末Ｔで、光ファイバＤＲ（３００−Ｏ１〜ＯＭ）のいずれかである光信号は
、２重化された光信号が２つの光ファイバＰＩとＳＷ１４０を介した２つの経路から来る
ので、光切替器Ｓｅｌｅｃｔｏｒ（１８５−１〜Ｍ）がいずれかの光信号を選択出力する
。選択の条件は、受信光信号の光パワーや符号誤り率など、性能劣化が少ないほうを選ぶ
等、予め決めておき、後述する制御系１９０がＳｅｌｅｃｔｏｒ１８５を制御する構成や
Ｓｅｌｅｃｔｏｒ１８５が自律選択を行う構成とすれば良い。
【００２８】
制御系１９０は、光信号切替え装置１００の経路設定等の監視制御を行うもので、監視
制御用の動作プログラムや経路設定の為の情報を格納しておくメモリＭＥＭ（１９１０）
、上述した各光部品（ＳＷ１４０等）と監視制御情報を送受信するインタフェースＩ／Ｏ
（１９２０）、ＭＥＭ１９１０の内容に基づき装置１００全体の監視制御を実行するプロ
セッサＣＰＵ（１９００）をバス１９４０等で接続したものである。又、ＮＭＳ１４０と
監視制御情報を送受信するインタフェースＩ／Ｏ（１９３０）も備えバス１９４０に接続
した。図１で示したような光信号の経路を光通信網１０に設定するために、ＮＭＳ４００
が各光信号切替え装置１００にＳＷ１４０の設定に必要な情報をＩ／Ｏ１９３０を介して
通知すると、各装置１００の制御系１９０は、この情報をＭＥＭ１９１０に蓄積し、ＣＰ
Ｕ１９００がＩ／Ｏ１９２０を介してＳＷ１４０を制御して、例えば図２のＳＷ１４０の
破線で示したような、光信号の経路を設定する構成である。
【００２９】
前述したように、ＮＭＳ４００を配置する代わりに、光通信網１０にある装置１００の
いずれかがマスターとなり他の装置１００の経路を設定したり、装置１００同士で定めた
通信プロトコルを用いて各装置の経路を決定して設定する構成でも構わない。この場合の
制御系１９０の構成も上記構成例と略同じである。尚、Ｉ／Ｏ１９３０を設ける代わりに
、光ファイバ２００を介して監視制御情報を送受信する構成としても良い。この場合制御
系１９０は、ＩＦ１３０，１５０の出力やＳＷ１４０の出力をＩ／Ｏ１９２０を介して監
視制御情報を送受信する。
【００３０】
尚、上記装置１００で使用するトランスポンダもしくは再生器（１３０，１３５，１５
０，１５５）は、同じ構成のものを用いても構わない。又、ＯＡＤＭを例にとり説明した
が、ＯＸＣを構成する場合、図２のＢｒｉｄｇｅ１８０をＡｍｐI１１０とＤＭＵＸ１２
０、Ｓｅｌｅｃｔｏｒ１８５をＭＵＸ１６０とＡｍｐO１７０にそれぞれ置き換える、あ
るいは、Ｂｒｉｄｇｅ１８０、Ｓｅｌｅｃｔｏｒ１８５、ＩＦADI１３５、ＩＦADO
１５５を取り除く構成とすれば容易に実現で出来る。尚、Ｂｒｉｄｇｅ１８０は、光カプ
ラや１×２光スイッチや２×２光スイッチを用いることにより実現することができる。同
様に、Ｓｅｌｅｃｔｏｒ１８５は、１×２光スイッチや２×２光スイッチを用いることに
より実現することができる。
【００３１】
本発明の光信号切替え装置は、上述したように装置内で光部品を冗長化する部分が光信
号を光通信網へ挿入・分岐する一部分で済み、他の部分は１重化構成で良いので光部品の
数が少なくなり経済的な装置が実現される。又、光信号の損失も小さくなり長距離伝送が
可能となるし、装置自体の信頼度も向上する。尚、光信号切替え装置の大部分を１重化構
成としても、端末間で通信される光信号が光通信網内で冗長化されているので光通信網の
信頼性は維持出来る。
【００３２】
図３は、本発明の光信号切替え装置の別構成例を示すブロック構成図である。同図の光
信号切替え装置１００も図２の装置１００と同じく入出力ともＮ本の光ファイバ（２０
０−Ｉ１〜ＩＮ，２００−Ｏ１〜ＯＮ）とＭ本の光ファイバ（３００−Ｉ１〜ＩＭ，３０
０−Ｏ１〜ＯＭ）を収容してＯＡＤＭを構成するものである。図２で示した装置１００と
異なるのは、ＳＷの構成と内部の経路設定で、以下、これらの異なる部分を詳細に説明す
る。
【００３３】
光信号切替え装置１００は、ＳＷ１４０の代わりに複数個（本実施形態では２個）の
ＳＷ１４５−０と１４５−１を用いた。  
光ファイバＰＩ（２００−Ｉ１〜ＩＮ）で受信した光信号で装置１００’を通過させる
光信号は、図３のＳＷ１４５内の破線で示したように、ＳＷ１４５−０もしくは１４５−
１の一方のＳＷ１４５に経路設定を行い光ファイバＰＯ（２００−Ｏ１〜ＯＮ）から出力
させる。
【００３４】
光ファイバＰＩ（２００−Ｉ１〜ＩＮ）で受信した光信号で装置１００’から分岐する
光信号は、２重化された光信号のそれぞれをＳＷ１４５−０と１４５−１を介してＳｅｌ
ｅｃｔｏｒ１８５で選択できるように２本の光ファイバＰＩから２つの光信号を受信する
。より詳細には、光通信網１０や前段の光信号切替え装置１００または１００の設定に
より、両方のＳＷ１４５−０と１４５−１のそれぞれに２重化された光信号が入るように
する。そして、図３のＳＷ１４５内の破線で示したように、両方のＳＷ１４５−０と１４
５−１に経路設定を行い、終端処理後の光信号のいずれかをＳｅｌｅｃｔｏｒ１８５で選
択して光ファイバＤＲ（３００−Ｏ１〜ＯＭ）から出力させる。
【００３５】
光ファイバＡＤ（３００−Ｉ１〜ＩＭ）で受信した光信号で装置１００’から光通信網
１０へ挿入する光信号は、２重化した光信号のそれぞれをＳＷ１４５−０と１４５−１を
介して２本の光ファイバＰＯから出力させる。具体的には、図３のＳＷ１４５内の破線で
示したように、両方のＳＷ１４５−０と１４５−１に経路設定を行い、２重化した光信号
のそれぞれを異なる２本の光ファイバＰＯ（２００−Ｏ１〜ＯＮ）から出力させる。
【００３６】
制御系１９０の構成や他の光部品の構成は図２の光信号切替え装置１００と同じである
。又、ＯＸＣも図２で説明した手法と同様な手法で容易に実現出来る。  
尚、上記説明では、挿入・分岐する２重化された光信号をＳＷ１４５−０と１４５−１
のそれぞれに経路設定して処理する構成としたが、一方のＳＷに２つの経路を設定しても
構わない。この場合は、図２の光信号切替え装置１００の構成・使用方法と略同じになる
だけである。
【００３７】
図３の構成の光信号切替え装置によれば、ＳＷが分散された形になるので、一方のＳＷ
が故障しても、挿入・分岐する光信号の一方は救えるし、通過する光信号の一部（単純に
作れば半分）が救えるので信頼性は更に向上する。
【００３８】
上述した本発明の光信号切替え装置１００ならびに１００は、構成部品を適切に選択
することで様々な伝送速度や光信号の多重度に対応可能な柔軟な構成の通信網が容易に構
築出来るものである。例えば、ＩＴＵ−Ｔ勧告が定めたＳＴＭ−０（５１．８４ＭＨｚ）
以上の速度の光信号であれば波長多重数についても制約されるものではない。
【００３９】
図４な及び図５は、本発明の光信号切替え装置、及び、これら用いた光通信網の使用方
法を説明する動作説明図である。  
以下、ＯＡＤＭ１００−１に接続された端末Ａ（Ｔ０１１）からＯＡＤＭ１００−１０
に接続された端末Ｂ（Ｔ１０１）に信号を送る場合を例にとり、光信号切替え装置１００
もしくは１００、および、これら光信号切替え装置用いた光通信網１０の経路設定動作
や装置および光通信網の使用方法を説明する。
【００４０】
ＮＭＳ４００には各装置１００−１〜１０の状態情報、例えば、ＳＷ１４０や１４５の
空塞、各波長の空塞、光部品の障害有無、光信号の状態（損失レベル、誤り率等）等、が
集められる。又、光ファイバ２００の状態情報も集められる。
【００４１】
ＮＭＳ４００は、これら収集した装置１００（１００）および光ファイバ２００の状
態情報を図示しない内部の記憶装置等に格納しておく。ＯＡＤＭ１００−１に接続された
端末Ａ（Ｔ０１１）からＯＡＤＭ１００−１０に接続された端末Ｂ（Ｔ１０１）への通信
が必要とされると、ＮＭＳ４００は、端末間で経路を提供可能な各装置１００と光ファイ
バ２００の状態情報から、各装置１００と光ファイバ２００で空いている正常な（使用可
能な）ＳＷ１４０や１４５等の光部品と使用波長とファイバを検索して通信網１０内の経
路を決定する。図５の経路決定結果４０００に示したような２つの経路Ｒ０とＲ１が決ま
ると、ＮＭＳ４００は、該経路上にある光信号切替装置１００−１〜１０のそれぞれに経
路を設定するよう制御情報を送信する。
【００４２】
尚、上記情報の収集・記憶、経路の決定、各装置への制御情報送信は、図示しないＮＭ
Ｓ４００内に備えたプロセッサが所定のアルゴリズムで実行しても良いし、光通信網１０
の管理者がＮＭＳ４００を用いてマニュアルで実行しても構わない。
【００４３】
光信号切替装置１００−１〜１０のそれぞれは、受信した情報に基づき制御系１９０が
以下のような自装置内部の経路設定を行うと、図４および図５で示したような端末間の経
路が設定され通信可能となる。
（１）ＯＡＤＭ１００−１は、受信光信号を２つの光信号に２重化し、それぞれの光信号
が異なる光ファイバ２００−１（＃１）と２００−３（＃Ｎ）を介してＯＡＤＭ１００−
２と１００−３に出力されるように、ＮＭＳ４００の指示に基づき光スイッチ１４０（１
４５）を制御して２つの光信号の経路Ｒ０とＲ１を設定する。このような設定を行えば、
ＯＡＤＭ１００−１のＳＷ１４０（１４５）やＳＷ後段の光部品は１重化構成で済み、光
部品の数が少なく経済的で光信号損失の小さい長距離伝送が可能となる。このＯＡＤＭ１
００−１で光信号を２重化して光通信網１０に挿入するので、光通信網１０に備えた装置
の大部分が１重化構成であっても、一方の経路に障害が生じても他方で救える構成となる
ので信頼性が維持出来るようになる。
（２）経路上のＯＡＤＭ（１００−２，３，８，９）やＯＸＣ（１００−４〜７）のそれ
ぞれは、ＮＭＳ４００の指示に基づき光スイッチ１４０（１４５）を制御して図５の決定
結果４０００で示したＯＡＤＭ１００−１０に向かう１つの光信号の経路Ｒ０またはＲ１
を設定する。このような設定を行えば、各装置のＡｍｐI１１０〜ＳＷ１４０（１４５）
〜ＡｍｐO１７０が１重化構成で済む。すなわち、光部品の数が少なく光信号損失の小さ
い経済的な長距離伝送が可能なとなる。装置が１重化構成であっても、光通信網１０に経
路が２つ設定してあるので信頼性は維持出来る。
（３）ＯＡＤＭ１００−１０は、光信号をそれぞれ２つの経路Ｒ０とＲ１から光ファイバ
２００−９（＃１）と２００−１１（＃Ｎ）で受信するので、Ｓｅｌｅｃｔｏｒ１８５が
一方を選択して端末Ｂ（Ｔ１０１）に出力できるように、ＮＭＳ４００の指示に基づき光
スイッチ１４０（１４５）を制御して２つの光信号の経路Ｒ０とＲ１を設定する。このよ
うな設定を行えば、光通信網１０内で２重化してあった光信号を処理するので信頼性は確
保できる。尚、装置１００（１００‘）の２重化部分はＩＦDRO１５５だけで済、光
部品の数が少なくなり経済的な装置が実現される。
【００４４】
上記のような経路設定を行えば、本発明のような光通信網へ光信号を挿入・分岐する一
部の光部品を冗長化した部品数が少なく光信号損失が小さい光信号切替え装置が使用可能
となる。したがって、経済的な長距離伝送が可能となる光通信網が提供される。しかも、
端末間で通信される光信号は、光通信網内で冗長化されて伝送されるので、光信号切替え
装置の大部分を１重化構成としても信頼性を維持出来る。
【符号の説明】
【００４５】
１０・・・光通信網、      １００・・・光信号切替え装置、  １１０・・・光増幅器、１２０・・・光分波器、          １３０，１３５，１５０，１５５・・・トランスポンダもしくは再生中継器、    １４０，１４５・・・光スイッチ、１６０・・・光合波器、      １７０・・・光増幅器、１８０・・・光分配器、      １８５・・・光切替器、１９０・・・制御系、２００，３００・・・光ファイバ、４００・・・管理装置。
【図１】
2010011486.tif 000003
【図２】
2010011486.tif 000004
【図３】
2010011486.tif 000005
【図４】
2010011486.tif 000006
【図５】
2010011486.tif 000007